(57)【要約】【課題】光信号の伝送効率の向上を図ることが可能な光コネクタを提供する。【解決手段】送信用スリーブ２８のレンズ３３から出射し集光する光が送信側の光ファイバ１２によって拾われる。レンズ３３と送信側の光ファイバ１２との距離を短くする。一方、受信側の光ファイバ１４から出射し拡散する光は受信用スリーブ２９のレンズ３７によって拾われる。受信用スリーブ２９の内部で集光させ光受信モジュール５に受光させるためには、レンズ３７と受信側の光ファイバ１４との距離を送信用スリーブ２８に比べて長くなるようにする。スリーブユニット３は、送信用スリーブ２８と受信用スリーブ２９とを有するものの、一つの部品となるように形成される。【選択図】図２
2010026345.tif 000002
【特許請求の範囲】
【請求項１】
光送信モジュールと、光受信モジュールと、前記光送信モジュール及び送信側の光ファイバ間に介在しこれらを光学的に接続する光透過性の送信用スリーブと、前記光受信モジュール及び受信側の光ファイバ間に介在しこれらを光学的に接続する光透過性の受信用スリーブと、前記光送信モジュール、前記光受信モジュール、前記送信用スリーブ、及び前記受信用スリーブを収容するとともに、相手側光コネクタが嵌合する光コネクタハウジングと、を備え、
前記送信用スリーブ及び前記受信用スリーブは、截頭円錐状の導光路と、該導光路の外側に設けられる略筒状の外管部と、前記送信側、前記受信側の光ファイバに近い側の前記導光路の端部に一体成形されるレンズと、を有する構成の光コネクタにおいて、
前記相手側光コネクタ嵌合状態の前記光コネクタハウジングにおける前記送信側、前記受信側の光ファイバの各端面位置を同じとし、該各端面位置から対応する前記レンズまでの距離が異なるように前記送信用スリーブ及び前記受信用スリーブを形成する
ことを特徴とする光コネクタ。
【請求項２】
請求項１に記載の光コネクタにおいて、
前記送信用スリーブ及び前記受信用スリーブの各前記レンズの略球面形状を異なるように形成する
ことを特徴とする光コネクタ。
【請求項３】
請求項１又は請求項２に記載の光コネクタにおいて、
各前記レンズの位置とは異なる位置に連続する連結部により前記送信用スリーブと前記受信用スリーブとを連結してスリーブユニットを形成する
ことを特徴とする光コネクタ。
【請求項４】
請求項３に記載の光コネクタにおいて、
前記送信用スリーブ及び前記受信用スリーブの各位置決め用フランジに前記連結部を一体化するとともに、各前記位置決め用フランジの間に遮光壁差し込み空間を形成する
ことを特徴とする光コネクタ。
【請求項５】
請求項４に記載の光コネクタにおいて、
前記遮光壁差し込み空間を、前記送信用スリーブ及び前記受信用スリーブの直径と同じ若しくはこれ以上の深さ寸法で凹むように形成する
ことを特徴とする光コネクタ。
【請求項６】
請求項３ないし請求項５いずれか記載の光コネクタにおいて、
前記連結部に前記スリーブユニットの組み付け方向を規制する誤組み付け防止部を形成する
ことを特徴とする光コネクタ。
【請求項７】
請求項１ないし請求項６いずれか記載の光コネクタにおいて、
前記送信用スリーブと前記受信用スリーブとの間に差し込まれる遮光壁を前記光コネクタハウジングに形成する
ことを特徴とする光コネクタ。
【発明の詳細な説明】
【技術分野】
【０００１】
本発明は、光送信モジュール及び光受信モジュールと、送信用スリーブ及び受信用スリーブと、光コネクタハウジングとを備える光コネクタに関する。
【背景技術】
【０００２】
自動車等の車両に搭載される光ファイバ通信システムの光コネクタに関しては、例えば下記特許文献１〜３等に詳しい技術が開示されている。下記特許文献１、２は本願出願人によるものである。
【０００３】
下記特許文献１に開示されたレンズ型スリーブは、送信用、受信用に関係なく共通使用することができるように形成されている。これに対して下記特許文献２に開示されたスリーブは、送信用スリーブと受信用スリーブとに分かれた送信用、受信用の専用部品として形成されている。具体的には、光信号を伝送する導光路が截頭円錐状に形成され、この形状における直径が送信用と受信用とで異なるように形成されている。
【０００４】
下記特許文献３に開示されたスリーブは、一対のレンズ型スリーブを連結部によって連結し、一つの部品（スリーブユニット）となるように形成されている。
【特許文献１】特開２０００−１１１７６５号公報
【特許文献２】特開２００２−２３０２５号公報
【特許文献３】特開２００６−７８６４４号公報
【発明の開示】
【発明が解決しようとする課題】
【０００５】
特許文献３に開示されたスリーブユニットは、送信側のスリーブから漏れた光が連結部を介して受信側のスリーブに入ってしまうという恐れを有している。すなわち、クロストークを引き起こしてしまうという恐れを有している。上記従来技術にあっては、これが問題点になっている。
【０００６】
ところで、本願出願人により提案された特許文献２の送信用スリーブ及び受信用スリーブは、送信用、受信用の専用部品であることから、光信号の伝送効率を高めることができるという効果（光の損失を低減することができるという効果）を奏するが、本願発明者は更に伝送効率を高めたいと考えている。
【０００７】
本発明は、上記した事情に鑑みてなされたもので、光信号の伝送効率の向上を図ることが可能な光コネクタを提供することを課題とする。
【課題を解決するための手段】
【０００８】
上記課題を解決するためになされた請求項１記載の本発明の光コネクタは、光送信モジュールと、光受信モジュールと、前記光送信モジュール及び送信側の光ファイバ間に介在しこれらを光学的に接続する光透過性の送信用スリーブと、前記光受信モジュール及び受信側の光ファイバ間に介在しこれらを光学的に接続する光透過性の受信用スリーブと、前記光送信モジュール、前記光受信モジュール、前記送信用スリーブ、及び前記受信用スリーブを収容するとともに、相手側光コネクタが嵌合する光コネクタハウジングと、を備え、前記送信用スリーブ及び前記受信用スリーブは、截頭円錐状の導光路と、該導光路の外側に設けられる略筒状の外管部と、前記送信側、前記受信側の光ファイバに近い側の前記導光路の端部に一体成形されるレンズと、を有する構成の光コネクタにおいて、前記相手側光コネクタ嵌合状態の前記光コネクタハウジングにおける前記送信側、前記受信側の光ファイバの各端面位置を同じとし、該各端面位置から対応する前記レンズまでの距離が異なるように前記送信用スリーブ及び前記受信用スリーブを形成することを特徴としている。
【０００９】
このような特徴を有する本発明によれば、送信用スリーブのレンズから出射し集光する光は送信側の光ファイバによって拾われる。このため、レンズと光ファイバとの距離を短くするように送信用スリーブが形成される。一方、受信側の光ファイバから出射し拡散する光は受信用スリーブのレンズによって拾われる。このため、受信用スリーブの内部で集光させ光受信モジュールに受光させるには、レンズと光ファイバとの距離を送信用スリーブに比べて長くなるように受信用スリーブが形成される。
【００１０】
請求項２記載の本発明の光コネクタは、請求項１に記載の光コネクタにおいて、前記送信用スリーブ及び前記受信用スリーブの各前記レンズの略球面形状を異なるように形成することを特徴としている。
【００１１】
このような特徴を有する本発明によれば、送信側に好適な略球面形状に、また、受信側に好適な略球面形状に、それぞれレンズが形成される。本発明によれば、レンズから出射した光が光ファイバに漏れなく拾われるように、また、光ファイバから出射した光が漏れなくレンズに拾われるようになる。
【００１２】
請求項３記載の本発明の光コネクタは、請求項１又は請求項２に記載の光コネクタにおいて、各前記レンズの位置とは異なる位置に連続する連結部により前記送信用スリーブと前記受信用スリーブとを連結してスリーブユニットを形成することを特徴としている。
【００１３】
このような特徴を有する本発明によれば、送信用スリーブと受信用スリーブとを連結して一つの部品（スリーブユニット）に形成される。また、本発明によれば、連結する位置に配慮することで、一方のスリーブから他方のスリーブへと光が漏れないように形成される。
【００１４】
請求項４記載の本発明の光コネクタは、請求項３に記載の光コネクタにおいて、前記送信用スリーブ及び前記受信用スリーブの各位置決め用フランジに前記連結部を一体化するとともに、各前記位置決め用フランジの間に遮光壁差し込み空間を形成することを特徴としている。
【００１５】
このような特徴を有する本発明によれば、連結部が位置決め用の部分としての機能を有するように形成される。また、本発明によれば、位置決め用フランジとは別の位置に連結部を配置するよりもスリーブユニット自体の形状が簡素に形成される。さらに、本発明によれば、クロストーク防止に有効な遮光壁を光コネクタハウジングに設ける場合、これに対応することが可能な形状に形成される。
【００１６】
請求項５記載の本発明の光コネクタは、請求項４に記載の光コネクタにおいて、前記遮光壁差し込み空間を、前記送信用スリーブ及び前記受信用スリーブの直径と同じ若しくはこれ以上の深さ寸法で凹むように形成することを特徴としている。
【００１７】
このような特徴を有する本発明によれば、高さのある遮光壁を差し込むことが可能な形状に遮光壁差し込み空間が形成される。
【００１８】
請求項６記載の本発明の光コネクタは、請求項３ないし請求項５いずれか記載の光コネクタにおいて、前記連結部に前記スリーブユニットの組み付け方向を規制する誤組み付け防止部を形成することを特徴としている。
【００１９】
このような特徴を有する本発明によれば、誤組み付け防止部を形成することで、送信用スリーブ及び受信用スリーブの組み付け位置が正確になる。
【００２０】
請求項７記載の本発明の光コネクタは、請求項１ないし請求項６いずれか記載の光コネクタにおいて、前記送信用スリーブと前記受信用スリーブとの間に差し込まれる遮光壁を前記光コネクタハウジングに形成することを特徴としている。
【００２１】
このような特徴を有する本発明によれば、クロストーク防止に有効な遮光壁が形成される。
【発明の効果】
【００２２】
請求項１に記載された本発明によれば、レンズと光ファイバとの距離を送信用、受信用に好適となる距離に合わせることで、光信号の伝送効率を従来よりも向上させることができるという効果を奏する。
【００２３】
請求項２に記載された本発明によれば、送信用、受信用に合わせたレンズ形状にすることで、伝送効率の更なる向上を図ることができるという効果を奏する。
【００２４】
請求項３に記載された本発明によれば、伝送効率を低下させずに送信用スリーブと受信用スリーブを一つの部品（スリーブユニット）にすることができるという効果を奏する。また、本発明によれば、スリーブユニットにすることで部品点数の削減をすることができるのは勿論のこと、部品管理を容易にすることもできるという効果を奏する。
【００２５】
請求項４に記載された本発明によれば、連結部を位置決め用として機能させることができるとともに、スリーブユニット自体の形状を簡素化させることもできるという効果を奏する。また、本発明によれば、クロストーク防止に有効な遮光壁に対応した形状にすることができるという効果も奏する。
【００２６】
請求項５に記載された本発明によれば、クロストーク防止に有効な形状にスリーブユニットを形成することができるという効果を奏する。
【００２７】
請求項６に記載された本発明によれば、スリーブユニットの誤組み付けを防止することができるという効果を奏する。
【００２８】
請求項７に記載された本発明によれば、クロストーク防止に有効な形状に光コネクタハウジングを形成することができるという効果を奏する。
【発明を実施するための最良の形態】
【００２９】
以下、図面を参照しながら説明する。図１は本発明の光コネクタの一実施の形態を示す図であり、図１（ａ）は相手側光コネクタ側から見た場合の光コネクタの分解斜視図、図１（ｂ）は光送信モジュール及び光受信モジュール側から見た場合の光コネクタの分解斜視図である。また、図２は本発明の光コネクタと相手側光コネクタとが嵌合し光学的な接続がなされた状態を示す断面図、図３はスリーブユニットの斜視図、図４はスリーブユニットと遮光壁に係る図、図５はスリーブユニットの断面図、図６はシミュレーション結果を示す図である。
【００３０】
図１において、引用符号１はＯＡ、ＦＡ、車載機器等の光通信に用いられる本発明の光コネクタを示している。光コネクタ１は、レセプタクルタイプのものであって、光コネクタハウジング２と、スリーブユニット３と、光送信モジュール４及び光受信モジュール５（これらは発光側ＦＯＴ（Fiber Optic Transceiver ）及び受光側ＦＯＴと呼ばれることもある）と、シールドケース６とを備えて構成されてる。
【００３１】
本発明の光コネクタ１は、スリーブユニット３と、このスリーブユニット３が組み付けられる部分（光コネクタハウジング２の後述する部分）とに特徴を有している。以下、上記の各構成部材について説明する。
【００３２】
図１及び図２において、上記光コネクタハウジング２は、絶縁性を有する合成樹脂材料により成形される箱状の部材であって、コネクタ嵌合部７と光モジュール収容部８とを有している。コネクタ嵌合部７は、プラグタイプの相手側光コネクタ９が嵌合するような形状に形成されている。コネクタ嵌合部７は、光コネクタハウジング２の前面側に配置形成されている。コネクタ嵌合部７には、相手側光コネクタ９が差し込まれる嵌合空間１０が形成されている。
【００３３】
相手側光コネクタ９は、絶縁性を有する合成樹脂製の光コネクタハウジング１１と、この光コネクタハウジング１１に収容される一対の光ファイバ端末とを備えて構成されている。一対の光ファイバ端末のうちの一方は、送信側の光ファイバ１２と、この送信側の光ファイバ１２に設けられるフェルール１３とを有している。これに対して他方は、受信側の光ファイバ１４と、この受信側の光ファイバ１４に設けられるフェルール１５とを有している（図２参照）。
【００３４】
光コネクタハウジング２の下壁には、図示しない回路基板に実装する際に用いられる位置決め突起（図示省略）が複数個形成されている。
【００３５】
光モジュール収容部８は、光コネクタハウジング２の後面側に配置形成されている。光モジュール収容部８は、この内部に光送信モジュール４及び光受信モジュール５をそれぞれ収容するための一対の収容室１６、１６を有している。収容室１６、１６は、光送信モジュール４及び光受信モジュール５を横に並べた状態に配置して収容することができるように形成されている。収容室１６、１６の間には、隔壁形状となる遮光壁１７が配置形成されている。
【００３６】
収容室１６、１６には、嵌合空間１０に連通する受承筒１８、１８が形成されている。受承筒１８、１８は、収容室１６、１６側からスリーブユニット３が組み付けられ、また、嵌合空間１０側からフェルール１３、１５が差し込まれるような筒状の形状に形成されている。受承筒１８、１８には、スリーブユニット３の後述する位置決め用フランジが当接する段部（符号省略）が形成されている。段部は、ストッパとして機能するようになっている。
【００３７】
収容室１６における引用符号１９（図４参照）は、誤組み付け防止部を示している。誤組み付け防止部１９は、スリーブユニット３の組み付け方向を規制する部分として形成されている。
【００３８】
遮光壁１７は、クロストークを防止するための壁であって、収容室１６、１６に収容された光送信モジュール４及び光受信モジュール５の間を横切るように突出形成されている。また、スリーブユニット３の後述する位置決め用フランジ間を横切るようにも形成されている。
【００３９】
上記光送信モジュール４は、回路基板（図示省略）の回路に電気的に接続される複数のリードフレーム２０と、発光素子（図示省略）と、樹脂モールド（光透過性の合成樹脂材料により封止して保護する）してなるパッケージ部２１とを有している。光送信モジュール４は、公知のものが用いられている。パッケージ部２１には、発光素子を中心位置に臨む環状の窓２２が形成されている。
【００４０】
上記光受信モジュール５は、回路基板（図示省略）の回路に電気的に接続される複数のリードフレーム２０と、受光素子（図示省略）と、樹脂モールド（光透過性の合成樹脂材料により封止して保護する）してなるパッケージ部２１とを有している。光受信モジュール５は、公知のものが用いられている。パッケージ部２１には、受光素子を中心位置に臨む環状の窓２２が形成されている。
【００４１】
上記シールドケース６は、導電性を有する金属薄板をプレス加工することにより形成されている。具体的には、導電性を有する金属板を打ち抜き・折り曲げ加工をすることにより例えば図示のような形状に形成されている（図１参照）。シールドケース６は、ハウジングシールド部２３と光モジュールシールド部２４とを有している。ハウジングシールド部２３と光モジュールシールド部２４は、一体に形成されている。ハウジングシールド部２３は、光コネクタハウジング２のコネクタ嵌合部７を覆って、このコネクタ嵌合部７に電磁ノイズ対策を施すことができるように形成されている。
【００４２】
ハウジングシールド部２３には、複数のグランドピン２５が形成されている。このグランドピン２５は、回路基板（図示省略）の固定穴に差し込まれてアースをすることができるような形状に形成されている。
【００４３】
光モジュールシールド部２４は、収容室１６、１６に収容された光送信モジュール４及び光受信モジュール５を覆って、これらに電磁ノイズ対策を施すことができるように形成されている。光モジュールシールド部２４には、複数のグランドピン２６と、押さえバネ２７とが形成されている。グランドピン２６は、回路基板（図示省略）の固定穴に差し込まれてアースをすることができるような形状に形成されている。押さえバネ２７は、光送信モジュール４及び光受信モジュール５の背面を押圧するために形成されている。
【００４４】
図１ないし図５（ａ）において、上記スリーブユニット３は、光透過性を有する透明な合成樹脂材料により成形されている。スリーブユニット３は、送信専用となる送信用スリーブ２８と、受信専用となる受信用スリーブ２９と、これらを連結する連結部３０とを有している。スリーブユニット３は、送信用スリーブ２８と受信用スリーブ２９とを有するものの、一つの部品となるように形成されている。
【００４５】
送信用スリーブ２８は、光送信モジュール４及び送信側の光ファイバ１２間に介在してこれらを光学的に接続することができるような形状に形成されている。また、受信用スリーブ２９は、光受信モジュール５及び受信側の光ファイバ１４間に介在してこれらを光学的に接続することができるような形状に形成されている。以下、もう少し詳しく説明する。
【００４６】
送信用スリーブ２８は、截頭円錐状の導光路３１と、この導光路３１の外側に一体に設けられる略筒状の外管部３２と、送信側の光ファイバ１２に近い側となる導光路３１の端部に一体成形されるレンズ３３と、外管部３２に連成される位置決め用フランジ３４とを有している。
【００４７】
また、受信用スリーブ２９は、送信用スリーブ２８と同様に、截頭円錐状の導光路３５と、この導光路３５の外側に一体に設けられる略筒状の外管部３６と、受信側の光ファイバ１４に近い側となる導光路３５の端部に一体成形されるレンズ３７と、外管部３６に連成される位置決め用フランジ３８とを有している。
【００４８】
連結部３０は、送信用スリーブ２８の位置決め用フランジ３４と、受信用スリーブ２９の位置決め用フランジ３８とに跨るように形成されている。また、連結部３０は、送信用スリーブ２８及び受信用スリーブ２９よりも下方に位置するように配置形成されている。連結部３０は、本形態において、位置決め用フランジ３４及び３８と同じ厚みとなる板状の形状に形成されている。位置決め用フランジ３４と位置決め用フランジ３８との間には、遮光壁差し込み空間３９が形成されている（図４（ｂ）参照）。
【００４９】
遮光壁差し込み空間３９は、光コネクタハウジング２の遮光壁１７を横切らせるために（差し込むために）形成されている。遮光壁差し込み空間３９は、送信用スリーブ２８及び受信用スリーブ２９の直径と同じ、若しくはこれ以上の深さとなる寸法Ａで凹むように形成されている。また、遮光壁１７の厚みに合わせた間隔Ｂを有するように形成されている。
【００５０】
連結部３０における引用符号４０（図４参照）は、誤組み付け防止部を示している。誤組み付け防止部４０は、光コネクタハウジング２に対するスリーブユニット３の組み付け方向を規制する部分として形成されている。
【００５１】
送信用スリーブ２８及び受信用スリーブ２９は、位置決め用フランジ３４及び３８よりも前方（送信側の光ファイバ１２及び受信側の光ファイバ１４が対向する側）の長さが異なるように形成されている。これは、送信用スリーブ２８のレンズ３３から出射し集光する光が送信側の光ファイバ１２によって拾われることから、レンズ３３と送信側の光ファイバ１２との距離を短くする必要があると考えているからである。一方、受信側の光ファイバ１４から出射し拡散する光は受信用スリーブ２９のレンズ３７によって拾われることから、受信用スリーブ２９の内部で集光させ光受信モジュール５に受光させるためには、レンズ３７と受信側の光ファイバ１４との距離を送信用スリーブ２８に比べて長くなるようにする必要があると考えているからである。
【００５２】
本発明では、上記の長さの調整によって、光信号の伝送効率を従来よりも向上させることができるという効果を奏する。
【００５３】
図２には、送信用スリーブ２８のレンズ３３と送信側の光ファイバ１２との距離が短く、受信用スリーブ２９のレンズ３７と受信側の光ファイバ１４との距離が長い状態が示されている（送信側の光ファイバ１２及び受信側の光ファイバ１４の端面位置は同じである）。
【００５４】
尚、位置決め用フランジ３４及び３８よりも後方の長さは同じに形成されている。
【００５５】
位置決め用フランジ３４及び３８は、レンズ３３及び３７と異なる位置に配置されている。言い換えれば、連結部３０は、レンズ３３及び３７と異なる位置に配置されている。本形態においては、レンズ３３及び３７よりも後方となる位置に配置されている。位置決め用フランジ３４及び３８は、上記の如く外管部３２及び３６に連成されており、この連成位置にあっては、図５（ａ）に示す如く、光（光信号）を伝送するための導光路３１及び３５のテーパ状の側面から離れるようになっている。
【００５６】
従って、仮にレンズ３３から矢印Ｐ方向に光が漏れようとしても、この光は連結部３０を介して受信用スリーブ２９の導光路３５に入ってしまうことがないようになっている（尚、図５（ｂ）に示す如くレンズ３３及び３７の位置に合わせて連結部３０を配置してしまうと、この連結部３０を介して光が矢印Ｑで示す如く受信用スリーブ２９側に漏れてしまう可能性を有している）。
【００５７】
本発明では、上記の配置によって、光信号の伝送効率を更に向上させることができるという効果を奏する。
【００５８】
図５（ａ）において、レンズ３３及び３７は、図中、同じ球面形状に見えるが、実際には若干異なるように形成されている（例えばレンズ３３はＲ１．１０に形成され、レンズ３５はＲ１．２０に形成されている）。すなわち、送信側に好適な略球面形状に、また、受信側に好適な略球面形状に、それぞれレンズ３３及び３５が形成されている。レンズ３３から出射した光は、送信側の光ファイバ１２に漏れなく拾われるように、また、受信側の光ファイバ１４から出射した光は、漏れなくレンズ３５に拾われるようになっている（図２参照）。
【００５９】
導光路３１及び３５は、この形状における直径が送信用と受信用とで異なるように形成されている。すなわち、光を集光させるために、受信側の導光路３５の方が若干細く形成されている。尚、導光路３１及び３５の一方の端部は、レンズ３３及び３７が一体に形成されているが、他方の端部はフラットに形成されている。他方の端部は、図示しない発光素子、受光素子に対向する部分となっている。他方の端部を含む送信用スリーブ２８及び受信用スリーブ２９の後部は、光送信モジュール４及び光受信モジュール５の環状の窓２２にそれぞれ差し込まれるようになっている。
【００６０】
本発明では、上記のレンズ３３及び３７や、導光路３１及び３５によって、光信号の伝送効率を更に向上させることができるという効果を奏する。
【００６１】
以上のような構成及び構造のスリーブユニット３を光コネクタハウジング２に組み付けると、遮光壁差し込み空間３９には遮光壁１７が差し込まれるような状態になる。この状態に基づいてシミュレーションを行ってみると、図６（ａ）に示す如く、送信側から受信側へと光が漏れないという結果が得られることから、本発明の光コネクタ１は、光信号の伝送効率を向上させるものとして有用であると言える。
【００６２】
尚、図６（ｂ）は比較例である。ここでのシミュレーションは、図５（ｂ）に示すスリーブユニットを用い、遮光壁がない状態で行っている。図から分かるように、送信側から受信側へと光が漏れてしまう。従って、本発明は有用であると言える。
【００６３】
本発明は本発明の主旨を変えない範囲で種々変更実施可能なことは勿論である。
【図面の簡単な説明】
【００６４】
【図１】本発明の光コネクタの一実施の形態を示す図であり、（ａ）は相手側光コネクタ側から見た場合の光コネクタの分解斜視図、（ｂ）は光送信モジュール及び光受信モジュール側から見た場合の光コネクタの分解斜視図である。
【図２】本発明の光コネクタと相手側光コネクタとが嵌合し光学的な接続がなされた状態を示す断面図である。
【図３】スリーブユニットの斜視図である。
【図４】スリーブユニットと遮光壁に係る図であり、（ａ）はスリーブユニットを光コネクタハウジングに収容した状態の図、（ｂ）は遮光壁差し込み空間の説明図である。
【図５】スリーブユニットの断面図であり、（ａ）は本発明のスリーブユニットの断面図、（ｂ）は比較例となる比較用スリーブユニットの断面図である。
【図６】シミュレーション結果を示す図であり、（ａ）は本発明のスリーブユニットに係る図、（ｂ）は比較例となる従来のスリーブユニットに係る図である。
【符号の説明】
【００６５】
１  光コネクタ
２  光コネクタハウジング
３  スリーブユニット
４  光送信モジュール
５  光受信モジュール
６  シールドケース
９  相手側光コネクタ
１２  送信側の光ファイバ
１３、１５  フェルール
１４  受信側の光ファイバ
１６  収容室
１７  遮光壁
１８  受承筒
１９  誤組み付け防止部
２８  送信用スリーブ
２９  受信用スリーブ
３０  連結部
３１、３５  導光路
３２、３６  外管部
３３、３７  レンズ
３４、３８  位置決め用フランジ
３９  遮光壁差し込み空間
４０  誤組み付け防止部
【図１】
2010026345.tif 000003
【図２】
2010026345.tif 000004
【図３】
2010026345.tif 000005
【図４】
2010026345.tif 000006
【図５】
2010026345.tif 000007
【図６】
2010026345.tif 000008